【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
物体側から像側へ順に、ズーミングのためには移動しない正の屈折力の第１レンズ群と、ズーミングのために移動する負の屈折力の第２レンズ群と、ズーミングのために移動する正の屈折力の第３レンズ群とを有し、
前記第２レンズ群は、最も物体側に負レンズを有し、
前記第３レンズ群は、物体側から像側へ順に、第３１サブレンズ群と第３２サブレンズ群とから構成され、
前記第１レンズ群の焦点距離をｆ１とし、前記第２レンズ群の焦点距離をｆ２とし、前記負レンズの焦点距離をｆ２１とし、前記負レンズの像側の曲率半径をｒ２とし、広角端での前記第２レンズ群の横倍率および望遠端での前記第２レンズ群の横倍率をそれぞれβ２ｗおよびβ２ｔとし、前記第３１サブレンズ群の焦点距離をｆ３１とし、前記第３２サブレンズ群の焦点距離をｆ３２として、
−１８．０＜ｆ１／ｆ２＜−３．０
０．２＜ｆ２１／ｆ２＜３．６
−０．９５＜ｆ２１／ｒ２＜−０．２５
７．０＜β２ｔ／β２ｗ＜１２５.０
０．３＜ｆ３１／ｆ３２＜２．５
なる条件式を満たすことを特徴とするズームレンズ。
【請求項２】
広角端から望遠端への前記第３１サブレンズ群の移動量および広角端から望遠端への前記第３２サブレンズ群の移動量をそれぞれｍ３１およびｍ３２として、
０．９０＜ｍ３１／ｍ３２＜１．１２
なる条件式を満たすことを特徴とする請求項１に記載のズームレンズ。
【請求項３】
物体側から像側へ順に、ズーミングのためには移動しない正の屈折力の第１レンズ群と、ズーミングのために移動する負の屈折力の第２レンズ群と、ズーミングのために移動する負の屈折力の第３レンズ群とを有し、
前記第２レンズ群は、最も物体側に負レンズを有し、
前記第１レンズ群の焦点距離をｆ１とし、前記第２レンズ群の焦点距離をｆ２とし、前記負レンズの焦点距離をｆ２１とし、前記負レンズの像側の曲率半径をｒ２として、
−１８．０＜ｆ１／ｆ２＜−３．０
０．２＜ｆ２１／ｆ２＜３．６
−３．０＜ｆ２１／ｒ２＜−０．２５
なる条件式を満たすことを特徴とするズームレンズ。
【請求項４】
広角端での前記第２レンズ群の横倍率および望遠端での前記第２レンズ群の横倍率をそれぞれβ２ｗおよびβ２ｔとして、
７．０＜β２ｔ／β２ｗ＜１２５．０
なる条件式を満たすことを特徴とする請求項３に記載のズームレンズ。
【請求項５】
前記第３レンズ群は、物体側から像側へ順に、第３１サブレンズ群と第３２サブレンズ群とから構成され、広角端から望遠端への前記第３１サブレンズ群の移動量および広角端から望遠端への前記第３２サブレンズ群の移動量をそれぞれｍ３１およびｍ３２として、
０．９０＜ｍ３１／ｍ３２＜１．１２
なる条件式を満たすことを特徴とする請求項３または４に記載のズームレンズ。
【請求項６】
前記第３１サブレンズ群の焦点距離および前記第３２サブレンズ群の焦点距離をそれぞれｆ３１およびｆ３２として、
−０．３＜ｆ３１／ｆ３２＜−３．４
なる条件式を満たすことを特徴とする請求項５に記載のズームレンズ。
【請求項７】
前記第２レンズ群は、物体側から像側へ順に、第２１サブレンズ群と第２２サブレンズ群とから構成され、広角端から望遠端への前記第２１サブレンズ群の移動量および広角端から望遠端への前記第２２サブレンズ群の移動量をそれぞれｍ２１およびｍ２２として、
０．９０＜ｍ２１／ｍ２２＜１．１２
なる条件式を満たすことを特徴とする請求項１乃至６のうちいずれか１項に記載のズームレンズ。
【請求項８】
前記負レンズの物体側のレンズ面の曲率半径をｒ１とし、前記負レンズの像側のレンズ面の曲率半径をｒ２として、
０．４＜（ｒ１＋ｒ２）／（ｒ１−ｒ２）＜０．９７
なる条件式を満たすことを特徴とする請求項１乃至７のうちいずれか１項に記載のズームレンズ。
【請求項９】
前記負レンズを構成する材料の屈折率をＮ２１として、
１．７５＜Ｎ２１＜２．３０
なる条件式を満たすことを特徴とする請求項１乃至８のうちいずれか１項に記載のズームレンズ。
【請求項１０】
前記負レンズを構成する材料のアッベ数をν２１として、
１８＜ν２１＜５０
なる条件式を満たすことを特徴とする請求項１乃至９のうちいずれか１項に記載のズームレンズ。
【請求項１１】
前記第２レンズ群は、屈折率をＮ２ｐとして、
１．７＜Ｎ２ｐ＜２．１
なる条件式を満たす正の屈折力のレンズを含むことを特徴とする請求項１乃至１０のうちいずれか１項に記載のズームレンズ。
【請求項１２】
前記第２レンズ群は、アッベ数をν２ｐとして、
１６＜ν２ｐ＜３０
なる条件式を満たす正の屈折力のレンズを含むことを特徴とする請求項１乃至１１のうちいずれか１項に記載のズームレンズ。
【請求項１３】
前記第３レンズ群より像側に配置され、光路への挿抜によって焦点距離範囲を変更するレンズユニットを有することを特徴とする請求項１乃至１２のうちいずれか１項に記載のズームレンズ。
【請求項１４】
請求項１乃至１３のうちいずれか１項に記載のズームレンズと、
前記ズームレンズによって形成された像を受ける撮像素子と、
を有することを特徴とする撮像装置。
【請求項１５】
前記ズームレンズの広角端での半画角をωｗとし、前記ズームレンズの広角端での焦点距離をｆｗとし、前記ズームレンズの望遠端での焦点距離をｆｔとして、
１８＜ｆｔ／ｆｗ＜１４０
５７．８＜２ωｗ＜７２．６
なる条件式を満たすことを特徴とする請求項１４に記載の撮像装置。
【手続補正２】
【補正対象書類名】明細書
【補正対象項目名】０００９
【補正方法】変更
【補正の内容】
【０００９】
本発明のズームレンズは、物体側から像側へ順に、ズーミングのためには移動しない正の屈折力の第１レンズ群と、ズーミングのために移動する負の屈折力の第２レンズ群と、ズーミングのために移動する正の屈折力の第３レンズ群とを有し、前記第２レンズ群は、最も物体側に負レンズを有し、前記第３レンズ群は、物体側から像側へ順に、第３１サブレンズ群と第３２サブレンズ群とから構成され、前記第１レンズ群の焦点距離をｆ１とし、前記第２レンズ群の焦点距離をｆ２とし、前記負レンズの焦点距離をｆ２１とし、前記負レンズの像側の曲率半径をｒ２とし、広角端での前記第２レンズ群の横倍率および望遠端での前記第２レンズ群の横倍率をそれぞれβ２ｗおよびβ２ｔとし、前記第３１サブレンズ群の焦点距離をｆ３１とし、前記第３２サブレンズ群の焦点距離をｆ３２として、
−１８．０＜ｆ１／ｆ２＜−３．０
０．２＜ｆ２１／ｆ２＜３．６
−０．９５＜ｆ２１／ｒ２＜−０．２５
７．０＜β２ｔ／β２ｗ＜１２５.０
０．３＜ｆ３１／ｆ３２＜２．５
なる条件式を満たすことを特徴とする。
【手続補正３】
【補正対象書類名】明細書
【補正対象項目名】００３５
【補正方法】変更
【補正の内容】
【００３５】
縦収差図において、球面収差はｅ線（実線）、ｇ線（２点鎖線）を示している。非点収差はｅ線のメリディオナル像面（Ｍ：点線）とサジタル像面（Ｓ：実線）を示している。倍率色収差はｇ線（２点鎖線）によって表している。ＦｎｏはＦナンバー、ωは撮影半画角を表す。縦収差図では、球面収差は０．４ｍｍ、非点収差は０．４ｍｍ、歪曲は１０％、倍率色収差は０．１０ｍｍのスケールで描かれている。なお、以下の各実施例において広角端と望遠端は、変倍用の第２レンズ群Ｕ２或いは第２レンズ群Ｕ２を構成するサブユニットのいずれかが、機構に対して光軸上を移動可能な範囲の両端に位置したときのズーム位置を指す。
【手続補正４】
【補正対象書類名】明細書
【補正対象項目名】００７０
【補正方法】変更
【補正の内容】
【００７０】
負レンズＬ２１の物体側のレンズ面の曲率半径をｒ１、像側のレンズ面の曲率半径をｒ２とする。第２１レンズを構成する材料の屈折率をＮ２１、アッベ数をν２１、第２レンズ群Ｕ２に含まれる正の屈折力の第２ｐレンズを形成する材料の屈折率をＮ２ｐ、アッベ数をν２ｐとする。このとき、
０．４＜（ｒ１＋ｒ２）／（ｒ１−ｒ２）＜０．９７  ・・・（１３）
１．７５＜Ｎ２１＜２．３０  ・・・（１４）
１８＜ν２１＜５０  ・・・（１５）
１．７＜Ｎ２ｐ＜２．１  ・・・（１６）
１６＜ν２ｐ＜３０  ・・・（１７）
なる条件式を満たすことである。
【手続補正５】
【補正対象書類名】明細書
【補正対象項目名】０１０４
【補正方法】変更
【補正の内容】
【０１０４】
図５は本発明の実施例３（数値実施例３）であるズームレンズにおける（ａ）広角端（９．５ｍｍ）、（ｂ）ズーム中間（焦点距離４０ｍｍ）、（ｃ）望遠端（４３７ｍｍ）のレンズ断面図である。図６は実施例３のズームレンズにおける（ａ）広角端（９．５ｍｍ）、（ｂ）ズーム中間（焦点距離４０ｍｍ）、（ｃ）望遠端（４３７ｍｍ）の縦収差図を示している。いずれも無限遠物体に合焦状態のレンズ断面図や収差図である。